(57)【要約】【課題】バンドによる変形が抑制されたパレットを提供する。【解決手段】パレットにおいて、荷物が載せられ荷物ごとバンドで括られる紙製の載せ板であって、荷物が乗せられる第１面に対して交わる方向に延びた筒状のセルが並んだ内部構造を有し、この載せ板の縁には、バンドの幅より幅広に凹んだ凹部が設けられ、凹部の底面は、第１面側よりも、第１面の反対である第２面側の方が載せ板の中央に近い載せ板と、載せ板の凹部の底面に接した板状部分を有し、凹部とバンドとの間に介在することで凹部を補強する補強部材とを備えたことを特徴とする。【選択図】        図１
2012116549.tif 000002
【特許請求の範囲】
【請求項１】
荷物が載せられ該荷物ごとバンドで括られる紙製の載せ板であって、該荷物が乗せられる第１面に対して交わる方向に延びた筒状のセルが並んだ内部構造を有し、この載せ板の縁には、該バンドの幅より幅広に凹んだ凹部が設けられ、その凹部の底面は、該第１面側よりも、該第１面の反対である第２面側の方がこの載せ板の中央に近い載せ板と、
前記載せ板の凹部の底面に接した板状部分を有し、該凹部と前記バンドとの間に介在することで該凹部を補強する補強部材とを備えたことを特徴とするパレット。
【請求項２】
前記補強部材が、前記バンドを間に挟んだ両側に位置し、前記底面から離れる方に前記板状部分から突き出した、該バンドを案内する案内部を備えたものであることを特徴とする請求項１記載のパレット。
【請求項３】
前記補強部材が、前記板状部分から前記載せ板の方に突き出した、前記凹部において前記載せ板に差し込まれた差込み部を備えたものであることを特徴とする請求項１または２記載のパレット。
【発明の詳細な説明】
【技術分野】
【０００１】
本発明は、パレットに関する。
【背景技術】
【０００２】
荷物を運搬する際に、荷物をパレットの上に載せ、リフトやクレーンを使ってパレットごと運搬することが行われている。
【０００３】
特許文献１には、段ボール製のパレットの上に荷物となる箱が載せられ、この箱がパレットにバンドによって固定された構造が示されている。
【先行技術文献】
【特許文献】
【０００４】
【特許文献１】特開２０００−１６８７７６号公報
【発明の概要】
【発明が解決しようとする課題】
【０００５】
パレットの強度を強くする場合、パレットにハニカム構造を採用することが考えられるが、その場合、パレットの縁がバンドによって変形しやすい。
【０００６】
本発明は、バンドによる変形が抑えられたパレットを提供することを目的とする。
【課題を解決するための手段】
【０００７】
請求項１に係るパレットは、荷物が載せられこの荷物ごとバンドで括られる紙製の載せ板であって、この荷物が乗せられる第１面に対して交わる方向に延びた筒状のセルが並んだ内部構造を有し、この載せ板の縁には、このバンドの幅より幅広に凹んだ凹部が設けられ、その凹部の底面は、上記第１面側よりも、第１面の反対である第２面側の方がこの載せ板の中央に近い載せ板と、
上記載せ板の凹部の底面に接した板状部分を有し、この凹部と上記バンドとの間に介在することでこの凹部を補強する補強部材とを備えたことを特徴とする。
【０００８】
請求項２に係るパレットは、上記補強部材が、上記バンドを間に挟んだ両側に位置し、上記底面から離れる方に上記板状部分から突き出した、このバンドを案内する案内部を備えたものであることを特徴とする。
【０００９】
請求項３に係るパレットは、上記補強部材が、上記板状部分から上記載せ板の方に突き出した、上記凹部において上記載せ板に差し込まれた差込み部を備えたものであることを特徴とする。
【発明の効果】
【００１０】
請求項１に係るパレットは、本構成を有していない場合と比較してバンドによる変形が抑えられる。
【００１１】
請求項２に係るパレットは、案内部が備えられない場合と比較して、バンドのずれによる変形が抑えられる。
【００１２】
請求項３に係るパレットは、差込み部が備えられない場合と比較して、補強部材がより強く保持される。
【図面の簡単な説明】
【００１３】
【図１】本発明の第１実施形態であるパレットの外観を示す斜視図である。
【図２】図１に示すパレットの使用状態を示す正面図である。
【図３】図１に示すパレット１の一部を拡大して示す斜視図である。
【図４】図３に示す上面デッキボードの構造を拡大して示す斜視図である。
【図５】図３に示す上面デッキボードの凹部と、補強部材とを示す斜視図である。
【図６】図５に示す凹部と補強部材の断面図である。
【図７】図５および図６に示す補強部材の展開図である。
【図８】補強部材が凹部に挿入された状態を示す断面図である。
【図９】図２に示す使用状態のパレットの断面を示す断面図である。
【図１０】図９に示す上面デッキボードの凹部周辺を示す拡大断面図である。
【図１１】本実施形態に対する比較例として、凹部および補強部材のいずれも有しない構造を示す断面図である。
【図１２】本発明の第２実施形態に係る上面デッキボードの凹部と、補強部材とを示す斜視図である。
【図１３】図１２に示す補強部材２４の展開図である。
【図１４】図１２に示す補強部材が装着された上面デッキボードの凹部周辺を示す拡大断面図である。
【発明を実施するための形態】
【００１４】
以下図面を参照して本発明の実施の形態を説明する。
【００１５】
図１は、本発明の第１実施形態であるパレットの外観を示す斜視図である。
【００１６】
図１に示すパレット１は、上面デッキボード１１、桁部材１２、下面デッキボード１３、および補強部材１４を備えている。上面デッキボード１１は、矩形状の板であって、上に荷物が載せられる。下面デッキボード１３は、上面デッキボード１１と略同じ大きさを有する矩形状の板である。ただし、下面デッキボード１３は、上面デッキボード１１よりも薄い。下面デッキボード１３は、パレット１が積み重ねられたり、パレット１が荷物を載せた状態で重ねられたりした場合の安定性を確保する。ここで、パレット１が荷物を載せる通常の使用状態での姿勢における重力方向を上下方向Ｚと称する。上面デッキボード１１および下面デッキボード１３は、上下方向Ｚと交わる方向に広がっている。
【００１７】
桁部材１２は、上面デッキボード１１を下から支える。パレット１は、下面デッキボード１３が上面デッキボード１１との間に桁部材１２を挟んだ構造を有しており、例えば下面デッキボードが備えられない構造に比べて、パレット１全体としての強度が増す。桁部材１２は、上面デッキボード１１の下すなわち、上面デッキボード１１と下面デッキボード１３との間に、図示しないフォークリフトやハンドリフタのフォーク（爪）を挿入する空間を形成する。本実施形態のパレット１は二方差しパレットであり、前後方向Ｙに長く延びた３つの桁部材１２が、左右方向Ｘに並んで配置されている。中央の桁部材１２と、左右の桁部材１２との間に形成された２つの空間に、前後方向Ｙにおける前または後ろからフォークが挿入され得る。
【００１８】
上面デッキボード１１の、互いに反対側に配置された一対の縁１１ａには、凹部１１１が２つずつ設けられており、補強部材１４は、４つの凹部１１１のそれぞれに配置されている。なお、図１には、一対の縁１１ａのうちの一方に設けられた２つの凹部１１１および２つの補強部材１４のみが現れている。凹部１１１および補強部材１４の詳細については後に説明する。
【００１９】
上面デッキボード１１、桁部材１２、および下面デッキボード１３はいずれも紙製であり、接着剤で互いに付けられ固定されている。接着剤は、例えば、コーンスターチを原料とする糊である。紙製のパレット１は、例えば木製や樹脂製のパレットに比べて軽量である。また、紙製のパレット１は、パレットとしての役割を終えた後も紙材として再生処理され得るので、資源として再活用しやすい。
【００２０】
ここで、上面デッキボード１１が本発明にいう載せ板の一例に相当する。
【００２１】
図２は、図１に示すパレットの使用状態を示す正面図である。
【００２２】
パレット１には、荷物Ａが載せられている。荷物Ａは、パレット１の上面デッキボード１１の上に載せられており、上面デッキボード１１は、荷物ＡごとバンドＢで括られている。荷物Ａを、例えばフォークリフトやハンドリフタで搬送する場合には、フォークリフトやハンドリフタのフォーク（図示しない）を、上面デッキボード１１と下面デッキボード１３との間に挿入し、パレット１を持ち上げる。
【００２３】
荷物Ａとして、図２には１つの箱が示されているが、荷物Ａは、単品の形態に限られない。例えば、荷物Ａには、複数の小箱が積み重ねられ、その外周が例えば伸縮性を有する樹脂製のフィルム（ストレッチフィルム）で巻き付けられることで、複数の小箱が一体化した形態もあり得る。
【００２４】
荷物Ａと上面デッキボード１１とを括る２本のバンドＢは、例えば樹脂製の結束バンドであり、例えばポリプロピレン製の繊維を編んで平らな紐とした、いわゆるＰＰバンドである。バンドＢは、例えば１５ｍｍ程度の幅と０．６ｍｍ程度の厚さを有する。２つのバンドＢのそれぞれは、パレット１および荷物Ａを締め付けた状態で、両端付近の重なった部分が２０ｍｍ程度の長さに亘り熱融着することで、輪を形成し、パレット１および荷物Ａを、搬送中に荷崩れしない程度の強い力で締め付けている。なお、バンドＢは、熱融着によって輪を形成する以外にも、例えば、バンド用のバックル（図示しない）で繋がれて輪を形成し、端が引き絞られることで、パレット１および荷物Ａを締め付けたものであってもよい。
【００２５】
図３は、図１に示すパレット１の一部を拡大して示す斜視図である。
【００２６】
パレット１の、上面デッキボード１１および桁部材１２は、上下方向Ｚに延びた筒状のセルが並んだ内部構造を有している。また、図３には、上面デッキボード１１の縁１１ａに設けられた凹部１１１および補強部材１４も示されている。
【００２７】
［上面デッキボードの構造］
図４は、図３に示す上面デッキボードの構造を拡大して示す斜視図である。
【００２８】
上面デッキボード１１は、荷物Ａ（図２参照）が載る上面に配置された表面ライナー１１３、桁部材１２（図３参照）側に配置された裏面ライナー１１４、および、表面ライナー１１３と裏面ライナー１１４に挟まれたハニカム芯材１１２を備えている。図４には、構造の見易さのため、表面ライナー１１３の一部が除去された状態が示されている。上面デッキボード１１は、通常の段ボール、すなわち、波状に形成した１枚の芯材の山部分および谷部分に表裏のライナーが接着された構造を有する板紙とは異なる構造を有する。上面デッキボード１１の表面ライナー１１３および裏面ライナー１１４は、それぞれ１枚の紙であり、ハニカム芯材１１２に接着されている。ハニカム芯材１１２は、波状に形成した複数の紙が、隣接する紙同士の、波の山部分と谷部分とを合わせて接着されることにより形成された、筒状のセルが蜂の巣状に並んだ構造を有する。ハニカム芯材１１２に形成された筒状のセルのそれぞれは、表面ライナー１１３に対して交わる上下方向Ｚに延びており、筒状のセルは、表面ライナー１１３が広がる前後方向Ｙおよび左右方向Ｘに２次元に並んでいる。ハニカム芯材１１２の筒状のセルは完全な６角形ではないが、上面デッキボード１１はハニカム構造ということができる。ハニカム構造を有する上面デッキボード１１は、例えば上述した通常の段ボールに比べて、上下方向Ｚの荷重に対する曲げ強度が強い。したがって、より重い荷物を上に載せ得る。また、パレット（図３参照）にフォーク（図示しない）を挿入して持ち上げた場合や、パレットに荷物が固定された状態で上下に複数段重ねた場合にもパレット１の変形が生じ難い。上面デッキボード１１は、上下方向Ｚの厚みが厚いほど、つまり、筒状のセルが長いほど、上下方向Ｚの荷重に対する曲げ強度が強くなる。上面デッキボード１１の厚みは、例えば、２０ｍｍ以上４５ｍｍ以下程度であるが、厚みは荷物の荷重に応じて選択され得る。また、上面デッキボード１１は紙製であり、しかも多くの空洞を有するため、同程度の強度を有する木製の板に比べて軽量である。ただし、ハニカム構造を有する上面デッキボード１１は、上下方向Ｚの荷重に対する強度に比べて、上面デッキボード１１が広がる前後方向Ｙおよび左右方向Ｘの外力に対する強度が、弱いという特性も有している。例えば、上面デッキボード１１の縁１１ａの一部に、前後方向Ｙまたは左右方向Ｘの力を受けると、力を受けた部分のハニカム芯材１１２が変形したり、ちぎれたりしやすい特性を有している。
【００２９】
ここで上面デッキボード１１の材料について説明する。表面ライナー１１３および裏面ライナー１１４は、例えば約６５０ｇ／ｍ２の坪量を有する紙管原紙で形成されている。ハニカム芯材１１２は、表面ライナー１１３および裏面ライナー１１４よりも薄く、例えば１６０ｇ／ｍ２の坪量を有する紙である。より詳細には、ハニカム芯材１１２は、化学的処理により木材中のニグリンの一部を取り除くことで柔らかくしたチップを機械的にほぐして製造したパルプ紙である、セミケミカルパルプ紙である。ただし、表面ライナー１１３、裏面ライナー１１４およびハニカム芯材１１２には、この他の処理で製造された、上記の坪量とは異なる紙も採用され得る。ハニカム芯材１１２を構成する紙同士を接着する接着剤、ハニカム芯材１１２と表面ライナー１１３を接着する接着剤、および、ハニカム芯材１１２と裏面ライナー１１４を接着する接着剤は、例えば酢酸ビニル系接着剤である。
【００３０】
再び図３を参照して説明を続ける。本実施形態のパレット１における桁部材１２は、図２を参照して説明した上面デッキボード１１と同様に、筒状のセルが上下方向Ｚに延びたハニカム構造を有している。ただし、桁部材１２は、フォークを挿入する空間を確保するため、上面デッキボード１１よりも厚く、５０ｍｍ以上８０ｍｍ以下程度の厚み（高さ）を有する。
【００３１】
下面デッキボード１３は、通常の段ボールからなる。すなわち、詳細な図示は省略するが、波状に形成した１枚の芯材の表裏それぞれに、波の山部分および谷部分に接着するように、２枚のライナーが張り付けられた構造の板紙で形成されている。下面デッキボード１３は、上面デッキボード１１に比べて、荷物の荷重に対する曲げ強度は必要とされないため、通常の段ボールが使用されている。ただし、下面デッキボード１３には、通常の段ボールが、複数枚重ねられたものも採用され得る。
【００３２】
なお、本実施形態のパレット１は、上面デッキボード１１および桁部材１２が、厳密には通常の段ボールではなく、ハニカム構造を有しているが、パレット１全体を指して「段ボール製パレット」と称する場合もある。
【００３３】
［凹部および補強部材］
続いて、上面デッキボード１１に設けられた凹部１１１および補強部材１４について説明する。凹部１１１は、上面デッキボード１１の縁１１ａのうち、バンドＢ（図２参照）が掛けられる部分に設けられており、バンドＢの幅より幅広に凹んだものである。このため、バンドＢ（図２参照）は、凹部１１１の部分に掛けられると、凹部１１１の中に入り込む。凹部１１１は、２本のバンドＢで荷物Ａの固定を安定させるように、上面デッキボード１１の縁１１ａの各両端から２００ｍｍ以上２５０ｍｍ以下程度の位置に設けられている。
【００３４】
図５は、図３に示す上面デッキボードの凹部と、補強部材とを拡大して示す斜視図である。また、図６は、図５に示す凹部と補強部材の断面図である。図５および図６には、凹部１１１に装着される前の状態の補強部材１４が示されている。
【００３５】
凹部１１１の底面１１１ａは、表面ライナー１１３よりも裏面ライナー１１４の方が上面デッキボード１１の中央Ｏに近い斜面となっている。より詳細には、凹部１１１は、上面デッキボード１１の縁１１ａの一部がくさび状に切り取られた形状であって、上面デッキボード１１を前から見た場合に、裏面ライナー１１４に近づくに従い深く抉られた形状を有する。
【００３６】
凹部１１１に装着される補強部材１４は、紙を折り曲げることで形成されている。補強部材１４は、凹部１１１の底面１１１ａに接する板状の底面板部１４１と、底面板部１４１の左右方向Ｘ両側に設けられ、装着状態で底面１１１ａから離れる方に底面板部１４１から突出した一対の案内部１４２と、上面デッキボード１１の裏面ライナー１１４に接する裏板部１４３とを有する。補強部材１４は、その一部が凹部１１１にはめ込まれ、凹部１１１を補強する。
【００３７】
図７は、図５および図６に示す補強部材の展開図である。
【００３８】
図５および図６に示す補強部材１４は、図７に示す厚紙Ｐの破線部分を山折りし、一点鎖線部分を谷折りすることで形成される。補強部材１４の、底面板部１４１、案内部１４２、および裏板部１４３となる部分には、符号がカッコ内に示されている。底面板部１４１となる部分の幅Ｗ、すなわち、補強部材１４が形成され凹部１１１に挿入される姿勢での左右方向Ｘ（図５参照）の長さは、凹部１１１の幅と略等しくされている。図７に示す厚紙Ｐは、破線部分および一点鎖線部分で折られることで、図５および図６に示す補強部材１４となる。補強部材１４は、底面板部１４１および案内部１４２の部分が凹部１１１に挿入される。底面板部１４１の幅Ｗは凹部１１１の幅に合わせて形成されているため、凹部１１１に挿入された補強部材１４は、凹部１１１内に保持される。一対の案内部１４２は、底面１１１ａから離れる方に突出しているため、凹部１１１への挿入時には引っかかることがなく、挿入された後は、厚紙Ｐの弾性で外側に広がろうとすることで凹部１１１の内壁に引っかかり、補強部材１４を凹部１１１に保持する。補強部材１４が凹部１１１に挿入される前には、補強部材１４のうちの上面デッキボード１１に接する面には接着剤が塗布される。補強部材１４と凹部１１１とは接着剤で接着され、補強部材１４が凹部１１１により強く保持される。
【００３９】
図５および図６に示す補強部材１４は紙製なので、パレット１の使用が済んだ後は、上面デッキボード１１に付いたまま紙資源としてまとめて再生処理され得る。したがって、パレット１の再生処理に際して、補強部材１４を取り外す必要はない。
【００４０】
図８は、補強部材が凹部に挿入された状態を示す断面図である。
【００４１】
補強部材１４の底面板部１４１は、凹部１１１の底面１１１ａに接しており、裏板部１４３は裏面ライナー１１４に接している。本実施形態では、底面板部１４１は底面１１１ａに接着されており、裏板部１４３は、裏面ライナー１１４に接着されている。
【００４２】
続いて、補強部材１４が設けられたパレット１に、荷物が載せられバンドが掛けられた使用状態について説明する。
【００４３】
図９は、図２に示す使用状態のパレットの断面を示す断面図である。
【００４４】
パレット１の上面デッキボード１１の上には荷物Ａが載せられ、上面デッキボード１１は荷物Ａごと、バンドＢで括られている。荷物Ａの上部に位置する、バンドＢの両端部は互いに溶着されており、バンドＢは輪を形成している。バンドＢは、パレット１と荷物Ａとを、荷崩れしない程度の強い力で締め付けている。
【００４５】
図１０は、図９に示す上面デッキボードの凹部周辺を示す拡大断面図である。
【００４６】
バンドＢは、上面デッキボード１１の縁に設けられた凹部１１１に入り込んでいる。凹部１１１とバンドＢとの間には、補強部材１４が介在している。より詳細には、補強部材１４の底面板部１４１が、凹部１１１の底面１１１ａとバンドＢとの間に介在している。また、バンドＢ補強部材１４の２つの案内部１４２の間を通っている。つまり、２つの案内部１４２は、バンドＢを間に挟んだ両側に位置しており、バンドＢと凹部１１１の側壁の間に介在する。また、補強部材１４の裏板部１４３は、上面デッキボード１１の裏面ライナー１１４とバンドＢとの間に介在している。
【００４７】
図１１は、本実施形態に対する比較例として、凹部および補強部材のいずれも有しない構造を示す断面図である。
【００４８】
図１１に示す比較例の上面デッキボード９１は、補強部材も有しておらず、凹部も有していない。上面デッキボード９１に掛けられたバンドＢは、上面デッキボード９１の縁の下面の角部分で略直角を成して曲がっている。図１１に示す構造では、パレット１と荷物Ａとを締め付けるバンドＢからの力Ｆが、特に上面デッキボード９１の縁の角部分に集中する。この力Ｆは、上面デッキボード９１において、強度が相対的に弱い前後方向Ｙの成分を有する。このため、バンドＢが、上面デッキボード９１を変形させ、あるいはちぎるようにして食い込み、バンドＢの締め付けが緩むおそれがある。
【００４９】
これに対し、図１０に示す本実施形態の上面デッキボード１１では、バンドＢが凹部１１１内で、凹部１１１の底面１１１ａに沿って延びている。つまり、バンドＢは、表面ライナー１１３よりも裏面ライナー１１４の方が上面デッキボード１１の中央に近い斜面に沿って、上下方向Ｚに対し斜めに延びている。また、凹部１１１とバンドＢとの間には補強部材１４が介在しており、バンドＢからの力Ｆは、補強部材１４の底面板部１４１によって分散され、底面１１１ａ全体で受けられる。このため、上面デッキボード１１の縁のバンドＢによる変形やちぎれが、例えば図１１に示す比較例の場合に比べて抑えられる。
【００５０】
また、バンドＢの左右方向Ｘへのずれは、バンドＢを挟んだ両側にある補強部材１４の案内部１４２によって規制される。
【００５１】
例えば、補強部材１４に案内部１４２が設けられていないと、バンドＢに左右方向Ｘの力が加わった場合にバンドＢが左右方向Ｘにずれ、バンドＢによってハニカム芯材１１２が変形したりちぎれたりするおそれがある。本実施形態では、バンドＢと凹部１１１との間に補強部材１４の案内部１４２が介在するため、バンドＢに対し左右方向Ｘにずれる力が加わっても、バンドＢのずれが規制されるとともに、ハニカム芯材１１２の変形やちぎれが抑えられる。
【００５２】
［第２実施形態］
次に、本発明の第２実施形態について説明する。以下の第２実施形態の説明にあたっては、これまで説明してきた実施形態における各要素と同一の要素には同一の符号を付けて示し、前述の実施形態との相違点について説明する。
【００５３】
図１２は、本発明の第２実施形態に係る上面デッキボードの凹部と、補強部材とを示す斜視図である。
【００５４】
第２実施形態のパレットは、補強部材２４の形状が、第１実施形態における補強部材１４（図５参照）の形状と異なり、その他の部分は、第１実施形態と同様である。
【００５５】
図１２に示す補強部材２４は、底面板部２４１、一対の案内部２４２、および裏板部２４３に加え、底面板部２４１から上面デッキボード１１の方に突き出した差込み部２４４を有する。補強部材２４の底面板部２４１は、凹部１１１の底面１１１ａの形状に合わせて、矩形状であるが、矩形状の底面板部２４１における左右方向Ｘ両側の辺のそれぞれから、案内部２４２および差込み部２４４の双方が互いに反対向きに折れ曲がって延びている。差込み部２４４は、尖った先端を有する三角形状である。差込み部２４４は、補強部材２４が凹部１１１に挿入されるときに、上面デッキボード１１に差し込まれる。
【００５６】
図１３は、図１２に示す補強部材２４の展開図である。
【００５７】
図１２に示す補強部材２４は、図１３に示す厚紙Ｐ’の破線部分を山折りし、一点鎖線部分を谷折りすることで形成される。補強部材２４の、底面板部２４１、案内部２４２、裏板部２４３、および差込み部２４４となる部分には、符号がカッコ内に示されている。矩形状の底面板部２４１における２つの辺のそれぞれに、案内部２４２および差込み部２４４となる部分が並んでつながっている。
【００５８】
図１４は、図１２に示す補強部材が装着された上面デッキボードの凹部周辺を示す拡大断面図である。
【００５９】
補強部材２４は、差込み部２４４が上面デッキボード１１のハニカム芯材１１２に差し込まれている。ハニカム芯材１１２は、表面ライナー１１３よりも薄い紙で形成されており、また、差込み部２４４の先端は尖っているため、補強部材２４が凹部１１１に挿入される際に、底面板部２４１が上面デッキボード１１に向かって押し込まれることで容易にハニカム芯材１１２の紙を破って差し込まれる。
【００６０】
差込み部２４４がハニカム芯材１１２に差し込まれることで、凹部１１１に装着された補強部材２４は、差込み部２４４を有さない場合に比べてより強く保持される。したがって、補強部材２４は、接着剤なしでも上面デッキボード１１から外れにくい。ただし、補強部材２４は、接着剤を用いて上面デッキボード１１の凹部１１１にさらに強く保持されるようにしてもよい。
【００６１】
また、本実施形態に係る補強部材２４は、第１実施形態と同様に、底面板部２４１、一対の案内部２４２、および裏板部２４３も有している。したがって、バンドＢによる上面デッキボード１１の変形やちぎれが、例えば補強部材が介在しない場合と比べて抑えられる。また、バンドＢの左右方向Ｘへのずれが案内部２４２によって規制されるとともに、ずれによる上面デッキボード１１の変形やちぎれが抑えられる。
【００６２】
なお、上述した第１実施形態では、本発明にいう補強部材の例として、上面デッキボード１１に接着される補強部材１４を示したが、本発明はこれに限られるものではなく、例えば、接着はされず、単に凹部内に挟み込まれるものであってもよい。
【００６３】
また、上述した実施形態では、本発明にいうパレットの例として、上面デッキボード１１、桁部材１２、および下面デッキボード１３を備えたパレット１を示したが、本発明はこれに限られるものではなく、例えば、パレットは、下面デッキボードを有さない構造であってもよい。
【００６４】
また、上述した実施形態では、本発明にいうパレットの例として、ハニカム構造の桁部材１２を備えたパレット１を示したが、本発明はこれに限られるものではなく、桁部材はハニカム構造ではなく、下面デッキボードと同様の構造を有する通常の段ボールを曲げ加工して形成したものであってもよい。
【００６５】
また、上述した実施形態では、本発明にいうパレットの例として、二方差しパレットを示したが、本発明はこれに限られるものではなく、例えば四方差しパレットであってもよい。この場合、凹部および補強部材は、載せ板の４方の縁に設けられる。
【００６６】
また、上述した実施形態では、本発明にいう載せ板の例として、１枚板からなる上面デッキボード１１を示したが、本発明はこれに限られるものではなく、載せ板は、例えば、２つの板が並んで配置されたものであってもよい。
【符号の説明】
【００６７】
１    パレット
１１    上面デッキボード
１２    桁部材
１３    下面デッキボード
１４，２４    補強部材
１１１    凹部
１１１ａ    底面
１１２    ハニカム芯材
１１３    表面ライナー
１１４    裏面ライナー
１４１，２４１    底面板部
１４２，２４２    案内部
１４３，２４３    裏板部
２４４    差込み部
Ａ    荷物
Ｂ    バンド
【図１】
2012116549.tif 000003
【図２】
2012116549.tif 000004
【図３】
2012116549.tif 000005
【図４】
2012116549.tif 000006
【図５】
2012116549.tif 000007
【図６】
2012116549.tif 000008
【図７】
2012116549.tif 000009
【図８】
2012116549.tif 000010
【図９】
2012116549.tif 000011
【図１０】
2012116549.tif 000012
【図１１】
2012116549.tif 000013
【図１２】
2012116549.tif 000014
【図１３】
2012116549.tif 000015
【図１４】
2012116549.tif 000016